(57)【要約】【課題】広い照射範囲を確保し、床面への光量を増加させることができる照明器具を提供する床面への光量を増加させることができる照明器具を提供する。【解決手段】下方に向かって光を照射するＬＥＤ素子３１１を有する光源ユニット３と、下方側が開口し光源ユニット３が収容される収容凹部６１および、収容凹部６１の開口周囲に形成され、光を反射する反射部６２を有する器具本体２とを備え、反射部６２は、収容凹部６１の開口から離れるにつれて上方に傾斜する第１の面６２１と、第１の面６２１に連続し、収容凹部６１の開口から離れるにつれて下方に傾斜する第２の面６２２とで構成される。【選択図】図１
2014186966.tif 000002
【特許請求の範囲】
【請求項１】
第１の方向に向かって光を照射するＬＥＤ素子を有する光源ユニットと、
前記第１の方向側が開口し前記光源ユニットが収容される収容凹部および、前記収容凹部の開口周囲に形成され、光を反射する反射部を有する器具本体とを備え、
前記反射部は、前記収容凹部の開口から離れるにつれて、前記第１の方向に対して反対の第２の方向に傾斜する第１の面と、前記第１の面に連続し、前記収容凹部の開口から離れるにつれて前記第１の方向に傾斜する第２の面とで構成される
ことを特徴とする照明器具。
【請求項２】
前記第１の面および前記第２の面は、平面で構成される
ことを特徴とする請求項１記載の照明器具。
【請求項３】
前記第１の面および前記第２の面は、曲面で構成される
ことを特徴とする請求項１記載の照明器具。
【請求項４】
前記第１の方向に対して直交する第３の方向における前記第１の面の寸法は、前記第３の方向における前記第２の面の寸法よりも短い
ことを特徴とする請求項１乃至３のうちいずれか１項に記載の照明器具。
【請求項５】
下方に湾曲する弧状の曲面を有し、前記収容凹部を覆うカバーを備え、
前記第１の面は、前記第１の方向に対して直交する第３の方向における前記曲面の端部の接線に対して、前記第１の方向側にある
ことを特徴とする請求項１乃至４のうちいずれか１項に記載の照明器具。
【発明の詳細な説明】
【技術分野】
【０００１】
本発明は、ＬＥＤ素子を光源とする照明器具に関するものである。
【背景技術】
【０００２】
従来、天井に取り付けられ、ＬＥＤ素子を光源とする照明器具が提供されている（例えば、特許文献１参照）。この照明器具は、横長且つ長尺状に形成された逆富士型の器具本体と、この器具本体の下面に取り付けられる光源ユニットとを備える。光源ユニットは、点灯装置と、この点灯装置によって点灯され、床面に向かって光を照射する複数のＬＥＤ素子とを備える。器具本体は、長手方向に沿って略中央部に収容凹部が形成されており、この収容凹部に光源ユニットが収容される。また、器具本体は、収容凹部の開口端から器具本体の両側端に向かうにつれて上方向に傾斜する傾斜面が形成されている。この傾斜面は、光の反射率が高く、反射板として機能する。
【先行技術文献】
【特許文献】
【０００３】
【特許文献１】特開２０１２−３９９３号公報
【発明の概要】
【発明が解決しようとする課題】
【０００４】
しかし、従来の照明器具は、器具本体が逆富士型に形成されているめ、反射板として機能する傾斜面への光の照射が少なかった。そのため、反射板としての効果が小さく、床面への光量が不足していた。
【０００５】
また、光源を囲うように反射板を設けた場合、床面への光量は増加するが照射範囲が狭くなるという問題があった。
【０００６】
本発明は、上記事由に鑑みてなされたものであり、その目的は、広い照射範囲を確保し、床面への光量を増加させることができる照明器具を提供することにある。
【課題を解決するための手段】
【０００７】
本発明の照明器具は、第１の方向に向かって光を照射するＬＥＤ素子を有する光源ユニットと、前記第１の方向側が開口し前記光源ユニットが収容される収容凹部および、前記収容凹部の開口周囲に形成され、光を反射する反射部を有する器具本体とを備え、前記反射部は、前記収容凹部の開口から離れるにつれて、前記第１の方向に対して反対の第２の方向に傾斜する第１の面と、前記第１の面に連続し、前記収容凹部の開口から離れるにつれて前記第１の方向に傾斜する第２の面とで構成されることを特徴とする。
【０００８】
この照明器具において、前記第１の面および前記第２の面は、平面で構成されることが好ましい。
【０００９】
この照明器具において、前記第１の面および前記第２の面は、曲面で構成されることが好ましい。
【００１０】
この照明器具において、前記第１の方向に対して直交する第３の方向における前記第１の面の寸法は、前記第３の方向における前記第２の面の寸法よりも短いことが好ましい。
【００１１】
この照明器具において、下方に湾曲する弧状の曲面を有し、前記収容凹部を覆うカバーを備え、前記第１の面は、前記第１の方向に対して直交する第３の方向における前記曲面の端部の接線に対して、前記第１の方向側にあることが好ましい。
【発明の効果】
【００１２】
以上説明したように、本発明では、反射部を構成する第１の面は、収容凹部の開口から離れるにつれてＬＥＤ素子の照射方向とは反対方向に傾斜するので照射範囲が広がり、第２の面は、収容凹部の開口から離れるにつれてＬＥＤ素子の照射方向に向かって傾斜するので、第２の面に照射される光量が増加するので、照射範囲を確保し、床面への光量も増加することができるという効果がある。
【図面の簡単な説明】
【００１３】
【図１】本発明の実施形態の照明器具の断面図である。
【図２】同上の外観斜視図である。
【図３】別構成の照明器具の断面図である。
【図４】別構成の照明器具の断面図である。
【図５】別構成の照明器具の外観斜視図である。
【発明を実施するための形態】
【００１４】
以下、本発明の実施の形態を図面に基づいて説明する。
【００１５】
（実施形態）
本実施形態の照明器具１の断面図を図１、外観斜視図を図２に示す。なお、図１における上下左右方向を上下左右方向と規定し、上下左右方向に直交する方向を前後方向と規定して以下説明する。
【００１６】
本実施形態の照明器具１は、天井材１００に設けられた埋込孔１０１を通して天井裏に埋込配設される天井埋込型の照明器具である。照明器具１は、器具本体２と、器具本体２に取り付けられる光源ユニット３と、光源ユニット３を覆うカバー４とで構成される。
【００１７】
器具本体２は、吊ボルト（図示なし）を用いて天井裏に配設される支持部材５と、支持部材５に取り付けられる反射板６とで構成される。
【００１８】
支持部材５は、下面が開口した矩形箱状に形成されており、開口端から側方に向かって延設された鍔部５１を有する。そして、支持部材５は、天井材１００に設けられた埋込孔１０１を通して天井裏に配設され、天井裏に設けられた吊ボルト（図示なし）に取り付けられる。このとき、鍔部５１の上面が埋込孔１０１周縁の天井材１００に当接し、支持部材５の上下方向の位置決めがなされる。
【００１９】
反射板６は、光を反射させる板金の折り曲げ加工によって収容凹部６１，反射部６２，鍔部６３が形成され、支持部材５の開口を覆うように支持部材５に取り付けられる。反射板６は、左右方向の中心において、矩形状の収容凹部６１が前後方向に連続して形成されている。収容凹部６１は、下面が開口しており、後述する光源ユニット３を収容する。また、収容凹部６１の底面（上面）および、支持部材５の底面（上面）には、図示しないネジ穴が形成されており、このネジ穴にネジ５２が取り付けられることで、反射板６が支持部材５に取り付けられる。また、反射板６の両側端は、上方に折り曲げ加工されることで、面Ｌ字状の鍔部６３が形成されている。そして、反射板６が支持部材５に取り付けられることで、鍔部６３の上端が天井材１００に当接する。また、反射材６の前後方向の両端には、矩形体状の終端部材６４が取り付けられる（図２参照）。
【００２０】
また、反射板６は、収容凹部６１の開口と鍔部６３との間に反射部６２が形成されている。反射部６２は、第１の面６２１と第２の面６２２とで構成される。第１の面６２１は、収容凹部６１の開口端から離れる側方へ向かうにつれて上方向に傾斜する平面で構成されている。第２の面６２２は、第１の面６２１に連続し、収容凹部６１の開口端から離れる側方へ向かうにつれて下方に傾斜する平面で構成されている。すなわち、反射部６２は、上方を頂点とする断面Ｖ字状に形成され、収容凹部６１と鍔部６３とを連続させる。
【００２１】
次に、光源ユニット３について説明する。光源ユニット３は、複数のＬＥＤ素子３１１が実装された実装基板３１と、実装基板３１が取り付けられる取付部材３２と、ＬＥＤ素子３１１に所定の点灯電力を供給する電源装置３３とを備える。
【００２２】
実装基板３１は、前後方向に長い矩形板状に形成されたプリント基板からなり、下面に複数のＬＥＤ素子３１１が前後方向に並んで実装される。
【００２３】
取付部材３２は、板金の折り曲げ加工によって、底板３２１と、底板３２１の両側端から上方向に延設された一対の側板３２２とからなる上面が開口した前後方向に長い矩形箱状に形成されている。底板３２１には、下面が開口した凹部３２３が形成されており、この凹部３２３の底部に実装基板３１が取り付けられる。したがって、ＬＥＤ素子３１１は、下方に向かって光を照射する。また、各側板３２２の先端には、互いに離れる方向に向かって円形に湾曲した湾曲部３２４が前後方向にわたって形成されている。
【００２４】
電源装置３３は、ＬＥＤ素子３１１に点灯電力を供給する点灯回路３３１が、収納ケース３３２に収納されることで構成されている。この収納ケース３３２は、底板３２１の上面に取り付けられる。そして、収納ケース３３２から導出された配線３３３が実装基板３１上のコネクタ（図示なし）に接続されることで、点灯回路３３１からＬＥＤ素子３１１に点灯電力が供給される。
【００２５】
そして、実装基板３１および電源装置３３が取り付けられた取付部材３２は、反射板６および取付部材３２にそれぞれ設けられた嵌合構造（図示なし）によって、反射板６に取り付けられる。これにより、光源ユニット３は、収容凹部６１からはみ出ないように、収容凹部６１に収容される。
【００２６】
次に、カバー４は、拡散性を有する材料（例えば、乳白色のアクリル樹脂）により上面が開口する長尺状に形成され、両側端側から中央側に向かうにつれて下側への突出量が大きくなる凸レンズ形状の拡散面４１を有している。このように、拡散面４１の形状を、下方に湾曲する弧状の曲面とすることで、下側への突出量を等しくした場合に比べて各方面への配光量を略等しくすることができる。また、カバー４の両側端部には、反射板６の収容凹部６１の開口周縁と上下方向に重なる延出部４２が形成されている。また、延出部４２の内側には、上方向に突出する突壁部４３が前後方向にわたって設けられており、突壁部４３の先端には、内向きに突出する突起部４４が形成されている。また、突壁部４３の基端近傍には、内向きに突出する突起部４５が形成されている。そして、カバー４を取り付ける場合、取付部材３２の側板３２２と収容凹部６１の側壁との間にカバー４の突壁部４３を下方から挿通させ、突起部４４が湾曲部３２４に係止することで、カバー４が光源ユニット３（器具本体１）に取り付けられる。このとき、突起部４５が取付部材３２の底板３２１の下面に当接することで、カバー４の上下方向の位置決めがなされる。
【００２７】
このように、本実施形態の照明器具１は、反射部６２が第１の面６２１と第２の面６２２とからなる断面Ｖ字状に形成されている。したがって、内側にむかって対向している第２の面６２２には、ＬＥＤ素子３１１から照射されてカバー４によって拡散された光が多く照射される。したがって、本実施形態の照明器具１は、第２の面６２２での反射による光量が増加するので、逆富士型に形成された従来の照明器具に比べて、床面への光量を増加させることができる。さらに、第１の面６２１は、外側に向かって対向しているので、第１の面６２１での反射光によって、広い照射範囲を確保することができる。
【００２８】
また、本実施形態の反射部６２は、上方を頂点とするＶ字状に形成されている。すなわち、反射部６２は下方に突出しないので、器具本体２の薄型化を実現することができる。
【００２９】
さらに、左右方向における第１の面６２１の寸法Ｗ１は、左右方向における第２の面６２２の寸法Ｗ２よりも短い。すなわち、第１の面６２１と第２の面６２２との連結部６２３は、左右方向における反射部６２の中心６２４よりも収容凹部６１の開口側にある。これにより、より多くの光が第２の面６２２によって反射されるので、床面への光量をより増加させることができる。
【００３０】
また、図３に示すように、第１の面６２１が、カバー４の拡散面４１の側端における接線Ｌ１よりも下側に位置するように構成してもよい。すなわち、第１の面６２１の傾斜角度を緩やかに構成している。このように構成することで、第１の面６２１での反射による光量を増加させることができる。
【００３１】
また、本実施形態では、第１の面６２１および第２の面６２２を平面で構成しているが、曲面で構成してもよい。図４，図５に示すように、反射部６２が上方に湾曲するように反射板６を折り曲げ加工することで、第１の面６２１および第２の面６２２を曲面で構成している。このように構成することでも、第１の面６２１および第２の面６２２を平面で構成した場合と同様の効果を得ることができる。
【符号の説明】
【００３２】
１  照明器具
２  器具本体
３  光源ユニット
３１１  ＬＥＤ素子
４  カバー
４１  拡散面
５  支持部材
６  反射板
６１  収容凹部
６２  反射部
６２１  第１の面
６２２  第２の面
【図１】
2014186966.tif 000003
【図２】
2014186966.tif 000004
【図３】
2014186966.tif 000005
【図４】
2014186966.tif 000006
【図５】
2014186966.tif 000007